(57)【要約】【課題】異なる機能を発揮する複数の部材をアタッチメント化して、美容処理を手際よく行なうことができ、さらに、各部材の温度状態を個々の部材の機能や構造に応じて適温に保持して、一連の美容処理を好適に行なえる美容器具を提供する。【解決手段】本体部２００の一端に、ヒーター２１０を含む加熱ロッド２０７を設ける。美容器具は、本体部２００ないし加熱ロッド２０７に着脱自在に装着されて、装着状態において加熱部２０８の外面を覆う少なくとも１個のアタッチメントＡとを備えている。本体部２００とアタッチメントＡとの連結部に、本体部２００ないし加熱ロッド２０７にアタッチメントＡが装着されているか否かを検知する検知構造を設ける。検知構造の検知結果に基づき、ヒーター２１０の発熱温度を、加熱部２０８に対応した温度状態と、加熱部２０８に装着されたアタッチメントＡに対応した温度状態とに切換える。【選択図】図１
2014073245.tif 000002
【特許請求の範囲】
【請求項１】
本体部（２００）の一端に加熱ロッド（２０７）が設けられ、加熱ロッド（２０７）にヒーター（２１０）を含む加熱部（２０８）が設けられており、
本体部（２００）ないし加熱ロッド（２０７）に着脱自在に装着されて、装着状態において加熱部（２０８）の外面を覆うアタッチメント（Ａ）を備えており、
本体部（２００）とアタッチメント（Ａ）との連結部に、本体部（２００）ないし加熱ロッド（２０７）にアタッチメント（Ａ）が装着されているか否かを検知する検知構造が設けられており、
検知構造の検知結果に基づき、ヒーター（２１０）の発熱温度を、加熱部（２０８）に対応した温度状態と、加熱部（２０８）に装着されたアタッチメント（Ａ）に対応した温度状態とに切換えることを特徴とする美容器具。
【請求項２】
加熱部が、加熱ロッド（２０７）の端部に配置されて、まつ毛を整形する加熱整形部（２０８）として構成されており、
アタッチメント（Ａ）が、マスカラ液を塗布する塗布体（２０１）として構成されており、
塗布体（２０１）は、本体部（２００）に第１連結構造を介して装着されるキャップ（２１８）と、キャップ（２１８）で支持される中空軸状の塗布ロッド（２１９）と、塗布ロッド（２１９）の端部に設けられる塗布部（２２０）とを備えており、
塗布体（２０１）を本体部（２００）に装着した状態において、加熱整形部（２０８）の外面が塗布部（２２０）で覆われている請求項１に記載の美容器具。
【請求項３】
加熱部が、加熱ロッド（２０７）の端部に配置されて、まつ毛を整形する加熱整形部（２０８）として構成されており、
アタッチメント（Ａ）が、まつ毛を整形するまつ毛整形体（２０２・２０３）として構成されており、
まつ毛整形体（２０２・２０３）は、加熱整形部（２０８）に第２連結構造を介して装着されるコーム枠（２３０・２３７）と、コーム枠（２３０・２３７）の外面に設けられてまつ毛を整形する整形コーム部（２３１・２３８）とを備えており、
まつ毛整形体（２０２・２０３）を加熱ロッド（２０７）に装着した状態において、加熱整形部（２０８）の外面がコーム枠（２３０・２３７）で覆われている請求項１に記載の美容器具。
【請求項４】
検知構造が、本体部（２００）の側に設けた一対の接続端子（２４８・２５５・２５７）と、アタッチメント（Ａ）の側に設けられる導通端子（２４９・２５６・２５８）とで構成されており、
アタッチメント（Ａ）を本体部（２００）ないし加熱部（２０８）に装着した状態において、導通端子（２４９・２５６・２５８）が一対の接続端子（２４８・２５５・２５７）を導通して、アタッチメント（Ａ）の装着状態を検知する請求項１から３のいずれかひとつに記載の美容器具。
【請求項５】
検知構造が、本体部（２００）の側に設けた光センサー（２６１）と、アタッチメント（Ａ）の側に設けられる遮光体（２６２）とで構成されており、
アタッチメント（Ａ）を本体部（２００）に装着した状態において、光センサー（２６１）の受光状態を遮光体（２６２）で切換えて、アタッチメント（Ａ）の装着状態を検知する請求項１から３のいずれかひとつに記載の美容器具。
【請求項６】
検知構造が、本体部（２００）の側に設けたリードスイッチ（２８１）と、アタッチメント（Ａ）の側に設けられる磁石（２８２）とで構成されており、
アタッチメント（Ａ）を本体部（２００）に装着した状態において、リードスイッチ（２８１）を磁石（２８２）で切換えて、アタッチメント（Ａ）の装着状態を検知する請求項１から３のいずれかひとつに記載の美容器具。
【発明の詳細な説明】
【技術分野】
【０００１】
本発明は、処理対象に熱を加えながら整形する加熱整形を行なう美容器具、なかでも加熱整形部を覆うように、加熱整形あるいは塗布などの美容処理の機能を有するアタッチメントを装着できる美容器具に関する。
【背景技術】
【０００２】
本発明に関して、加熱装置を備えた塗布器具が特許文献１に公知である。そこでは、マスカラ液を収容する容器およびキャップと、塗布ヘッドを備えた塗布具と、塗布ヘッドを加熱する加熱装置などで塗布器具（美容器具）を構成している。摘みを兼ねるキャップの内部には、加熱装置の電源となる電池が配置してあり、キャップと一体化された塗布具の塗布ヘッドの内部には、抵抗加熱素子が配置してある。容器にねじ込まれたキャップを容器から取外すと、給電用の回路が閉じられて抵抗加熱素子を発熱させることができ、この熱で塗布ヘッドの基部表面に付着したマスカラ液を加熱して均一に拡散し流動させた状態でまつ毛に塗布できる。
【０００３】
同様の美容器具は特許文献２にも開示されている。そこでは、マスカラ液を収容する容器と、ブラシ棒を支持する取っ手（キャップ）とでマスカラパッケージ（美容器具）を構成している。ブラシ棒の下部には、発熱体を備えた発熱塗布部が設けてあり、取っ手の外面に配置したスイッチノブをオン操作することにより発熱体に通電して発熱塗布部を加熱できる。使用時には、容器にねじ込まれた取っ手を取外すことにより、発熱塗布部の外面のブリッスルに付着したマスカラ液を、加熱された状態でまつ毛に塗布できる。さらに、発熱塗布部を容器内に収容した状態のままで、スイッチノブをオン操作することにより、低温のマスカラ液を加熱してその粘度を低下させることができる。
【先行技術文献】
【特許文献】
【０００４】
【特許文献１】特開２００８−２１２６８８号公報（段落番号００３１〜００３２、図２）
【特許文献２】特表２００９−５３２０８３号公報（段落番号００３３、図２）
【発明の概要】
【発明が解決しようとする課題】
【０００５】
特許文献１の美容器具によれば、キャップを容器から取外す動作に連動して抵抗加熱素子を発熱させ、塗布ヘッドに付着したマスカラ液を加熱し均一に拡散し流動させた状態でまつ毛に塗布できる。しかし、特許文献１のマスカラ塗布具は、マスカラ液をまつ毛に塗布する機能を備えているに過ぎない。そのため、前段のまつ毛をカールする作業と、後段のまつ毛に付着したダマ（マスカラ塊）を除去する作業を行う際に、別途まつ毛整形具とマスカラコームを用意する必要があり、一連の作業が煩雑で化粧に多くの手間が掛かってしまう。
【０００６】
その点、特許文献２の美容器具は、発熱塗布部にまつ毛をカールする櫛と、マスカラ液を塗布するブラシとが設けてあるので、一連の作業を少ない手間で行うことができる。しかし、まつ毛をカールするための櫛がブラシと共に、容器内のマスカラ液に浸漬されるため、まつ毛をカールする際には、櫛に付着したマスカラ液を除去する必要があり、余分な手間が掛かる。マスカラ液が無駄に消費される不利もある。
【０００７】
上記のように従来の美容器具は、美容処理を順序だてて行う際に手間が掛かる点、あるいは、化粧料等が無駄に消費される点で改善の余地があった。本発明者等は、これらの問題点を解決するために検討を重ねた結果、それぞれ異なる機能を発揮できる複数の部材で美容器具を構成すると、美容器具を多機能化して使い勝手を向上できることを見出した。例えば、まつ毛を整形する機能を備えた部材と、マスカラ液を塗布する機能を備えた部材とで美容器具を構成し、さらに、個々の部材を必要に応じて加熱した状態で使用できるようにすると、美容処理を順序だてて手際よく行なうことができる。しかし、加熱した状態で使用される部材は、個々の部材の機能に応じて温度状態を異ならせる必要があり、さらに個々の部材の構造や熱伝導状態が大きく異なるため、これらの問題をいかにして解決するかを検討した結果、本発明を提案するに至ったものである。
【０００８】
本発明の目的は、それぞれ異なる機能を発揮する複数の部材をアタッチメント化して、順序だてて行われる美容処理を手際よく行なうことができる、多機能化された美容器具を提供することにある。
本発明の目的は、アタッチメント化された各部材の温度状態を、個々の部材の機能や構造に応じて適温に保持でき、一連の美容処理を好適に行なえる美容器具を提供することにある。
【課題を解決するための手段】
【０００９】
本発明の美容器具は、本体部２００の一端に加熱ロッド２０７が設けられ、加熱ロッド２０７にヒーター２１０を含む加熱部２０８が設けてある。美容器具は、本体部２００ないし加熱ロッド２０７に着脱自在に装着されて、装着状態において加熱部２０８の外面を覆うアタッチメントＡを備えている。本体部２００とアタッチメントＡとの連結部に、本体部２００ないし加熱ロッド２０７にアタッチメントＡが装着されているか否かを検知する検知構造を設ける。検知構造の検知結果に基づき、ヒーター２１０の発熱温度を、加熱部２０８に対応した温度状態と、加熱部２０８に装着されたアタッチメントＡに対応した温度状態とに切換えることを特徴とする。
【００１０】
加熱部は、加熱ロッド２０７の端部に配置されて、まつ毛を整形する加熱整形部２０８として構成する。アタッチメントＡは、マスカラ液を塗布する塗布体２０１として構成する。塗布体２０１は、本体部２００に第１連結構造を介して装着されるキャップ２１８と、キャップ２１８で支持される中空軸状の塗布ロッド２１９と、塗布ロッド２１９の端部に設けられる塗布部２２０とを備えている。塗布体２２０を本体部２００に装着した状態において、加熱整形部２０８の外面を塗布部２２０で覆うようにする。
【００１１】
加熱部は、加熱ロッド２０７の端部に配置されて、まつ毛を整形する加熱整形部２０８として構成する。アタッチメントＡは、まつ毛を整形するまつ毛整形体２０２・２０３として構成する。まつ毛整形体２０２・２０３は、加熱整形部２０８に第２連結構造を介して装着されるコーム枠２３０・２３７と、コーム枠２３０・２３７の外面に設けられてまつ毛を整形する整形コーム部２３１・２３８とを備えている。まつ毛整形体２０２・２０３を加熱整形部２０８に装着した状態において、加熱整形部２０８の外面をコーム枠２３０・２３７で覆うようにする。
【００１２】
検知構造は、本体部２００の側に設けた一対の接続端子２４８・２５５・２５７と、アタッチメントＡの側に設けられる導通端子２４９・２５６・２５８とで構成する。アタッチメントＡを本体部２００ないし加熱ロッド２０７に装着した状態において、導通端子２４９・２５６・２５８は一対の接続端子２４８・２５５・２５７を導通して、アタッチメントＡの装着状態を検知する。
【００１３】
検知構造は、本体部２００の側に設けた光センサー２６１と、アタッチメントＡの側に設けられる遮光体２６２とで構成する。アタッチメントＡを本体部２００に装着した状態において、光センサー２６１の受光状態を遮光体２６２で切換えて、アタッチメントＡの装着状態を検知する。
【００１４】
検知構造は、本体部２００の側に設けたリードスイッチ２８１と、アタッチメントＡの側に設けられる磁石２８２とで構成する。アタッチメントＡを本体部２００に装着した状態において、リードスイッチ２８１を磁石２８２で切換えて、アタッチメントＡの装着状態を検知する。
【発明の効果】
【００１５】
本発明に係る美容器具においては、異なる機能を発揮する部材をアタッチメント化して、これを本体部２００の加熱部２０８に換装することにより、美容器具を多機能化するので、順序だてて行われる美容処理に従ってアタッチメントＡを付換えることにより、一連の美容処理を手際よく行なうことができる。また、本体部２００あるいは加熱部２０８に装着されたアタッチメントＡを検知構造で検知して、個々のアタッチメントＡの温度状態を、美容処理に適した温度に制御するので、各アタッチメントＡによる美容処理を的確にしかも好適に行なうことができる。さらに、本体部２００あるいは加熱部２０８に装着されたアタッチメントＡを検知構造で識別できるので、ユーザーは各アタッチメントＡを所定の姿勢で所定の位置に装着すればよく、スイッチの切換などの煩雑な操作を行う必要もなく各アタッチメントＡを適温に加熱できる。
【００１６】
本体部２００にまつ毛を整形する加熱整形部２０８を設け、マスカラ液を塗布する塗布体２０１をアタッチメントＡとする美容器具によれば、まつ毛の整形を加熱整形部２０８で行ったのち、塗布体２０１を本体部２００に装着してマスカラ液の塗布を行なうことができる。また、まつ毛の整形を加熱整形部２０８で行う場合と、マスカラ液の塗布を塗布体２０１で行なう場合に、加熱整形部２０８および塗布体２０１の温度状態を、それぞれの処理に対応して好適化するので、マスカラ塗布のための一連の美容処理を手際よく行なうことができる。
【００１７】
本体部２００にまつ毛を整形する加熱整形部２０８を設け、さらに、まつ毛を整形するまつ毛整形体２０２・２０３をアタッチメントＡとする美容器具によれば、まつ毛の整形処理を複数に分化した状態で好適に行なえる。例えば、まつ毛を加熱整形部２０８で大まかに整形したのち、まつ毛整形体２０２・２０３を加熱整形部２０８に装着して、上まつ毛をより緻密に整形し、あるいは下まつ毛をより緻密に整形することができる。
【００１８】
本体部２００の側に設けた一対の接続端子２４８・２５５・２５７を、アタッチメントＡの側に設けられる導通端子２４９・２５６・２５８で導通して、アタッチメントＡの装着状態を検知する検知構造によれば、アタッチメントＡが加熱部２０８に装着されているか否かを明確に検知できる。さらに、接続端子２４８・２５５・２５７および導通端子２４９・２５６・２５８を、個々のアタッチメントＡに応じて設けておくと、加熱部２０８に装着されているアタッチメントＡを識別することができる。従って、加熱部２０８に装着されているアタッチメントＡを制御回路側で特定して自動的に適温に加熱できる。
【００１９】
光センサー２６１と遮光体２６２とで構成した検知構造によれば、アタッチメントＡが加熱部２０８に装着されているか否かを非接触で検知できるので、接触端子を検知要素とする検知構造に比べて磨耗や接触不良を考慮する必要がなく、信頼性を向上できる。
【００２０】
リードスイッチ２８１と磁石２８２を検知要素とする検知構造によれば、検知動作をさらに安定化でき、必要があればリードスイッチ２８１および磁石２８２を埋設した状態で組込むことが可能であるので、検知構造の信頼性をさらに向上できる。
【図面の簡単な説明】
【００２１】
【図１】第１実施形態に係るマスカラ塗布具を示す分解断面図ある。
【図２】マスカラ塗布具の側面図である。
【図３】検知構造を示す図１におけるＢ−Ｂ線断面図である。
【図４】検知構造と制御回路の関係を示すブロック図である。
【図５】加熱整形部の使用形態を示す一部破断側面図である。
【図６】アタッチメントの使用形態を示す縦断面図である。
【図７】別のアタッチメントの使用形態を示す一部破断側面図である。
【図８】第２実施形態に係るまつ毛整形具を示す一部破断側面図である。
【図９】図８に係る検知構造と制御回路の関係を示すブロック図である。
【図１０】第３実施形態に係るまつ毛整形具を示す一部破断側面図である。
【図１１】図１０に係る検知構造と制御回路の関係を示すブロック図である。
【図１２】第４実施形態に係るまつ毛整形具を示す一部破断側面図である。
【図１３】図１２に係る検知構造と制御回路の関係を示すブロック図である。
【発明を実施するための形態】
【００２２】
（第１実施形態）  図１ないし図７は本発明をマスカラ塗布具（美容器具）に適用した第１実施形態を示す。本発明における前後、左右、上下とは、図２に示す交差矢印と、各矢印の近傍に表記した前後、左右、上下の表示に従う。図１においてマスカラ塗布具は、本体部（第１部材）２００と、本体部２００に対して着脱される３種のアタッチメント（第２部材）Ａと、マスカラ液を収容する容器（第３部材）２０４とで構成する。３種のアタッチメントＡのうちのひとつは塗布体（第１塗布体）２０１であり、他のふたつは第１まつ毛整形体（まつ毛整形体）２０２と第２まつ毛整形体（まつ毛整形体）２０３とからなる。
【００２３】
図１および図２において本体部２００は、上下に長い丸筒状のケースからなり、その内部に電池２０５や図示していない制御基板などが配置してある。本体部２００の前面には、オン・オフの切換えが可能な、押しボタン型の電源スイッチ２０６が設けてある。本体部２００の下端には、丸棒状の加熱ロッド２０７が下向きに突出する状態で設けてあり、その下端に加熱ロッド２０７より直径が小さな加熱整形部（加熱部）２０８が設けてある。加熱整形部２０８は、上下方向へ一定間隔おきに配置した複数個の櫛歯２０９で構成されて、その内部に面状ヒーター（ヒーター）２１０とサーミスター（図示していない）などが配置してある。櫛歯２０９の間は加熱窓２１１として開口されており、各加熱窓２１１において面状ヒーター２１０の外表面が露出させてある。加熱ロッド２０７の基端部の周囲は筒壁２１２で囲まれており、この筒壁２１２の内部に後述するキャップ２１８を差込み装着することができる。電池２０５は、本体部２００の上部に設けた電池蓋２１３を取外すことにより交換することができる。
【００２４】
容器２０４は円筒状のガラス成形品からなり、その上端に塗布体２０１の出入口２１４が開口してある。出入口２１４の周面にはねじ軸２１５が形成してあり、出入口２１４の内面には余分に付着したマスカラ液をしごき落とすワイパー２１６が設けてある。
【００２５】
塗布体２０１は、容器２０４の出入口２１４に着脱される円筒状のキャップ２１８と、容器２０４の内部に差込まれる中空軸状の塗布ロッド２１９と、塗布ロッド２１９の下端部に設けられる塗布部２２０とで構成する。キャップ２１８には、容器２０４用の連結部と本体部２００用の連結部とが設けてある。容器２０４用の連結部は、キャップ２１８の殆どを占めるねじキャップ２２１で構成されており、その内面に先のねじ軸２１５に対応するねじ穴２２２が形成してある。
【００２６】
キャップ２１８をねじ軸２１５にねじ込むことにより、出入口２１４を塞ぐ状態で塗布体２０１を容器２０４と一体化できる。キャップ２１５の外面には上下方向に長い位置決めリブ２２３が形成してある。位置決めリブ２２３を、先の筒壁２１２に設けた位置決め溝２２４と係合することにより、塗布体２０１を本体部２００に装着するときの装着位置を一定にすることができる。本体部２００用の連結部は、ねじキャップ２２１の上部に連続する連結ボス２２５の周面に周回状に形成される連結溝２２６からなる。先の塗布ロッド２１９の上端は連結ボス２２５と一体化してある。
【００２７】
図１に示すように、塗布部２２０はその周囲に形成した櫛歯２２７の一群で構成されており、隣接する櫛歯２２７の間にマスカラ液を保持することができる。櫛歯２２７の隣接ピッチは、後述する第１まつ毛整形体２０２と第２まつ毛整形体２０３における櫛歯２３４・２４１の隣接ピッチより小さくしてある。
【００２８】
第１まつ毛整形体２０２は、主に上まつ毛を整形するために設けてあり、有底筒状のコーム枠２３０と、コーム枠２３０の外面の一側に設けられる整形コーム部２３１とを一体に備えている。コーム枠２３０の内部には、加熱整形部２０８の全体を差込むことができる装着穴２３２が形成してあり、その上開口の近くに連結溝２３３が周回状に凹み形成してある。整形コーム部２３１は、８個の櫛歯２３４で構成してある。
【００２９】
第２まつ毛整形体２０３は、主に下まつ毛を整形するために設けてあり、有底筒状のコーム枠２３７と、コーム枠２３７の外面の一側に設けられる整形コーム部２３８とを一体に備えている。コーム枠２３７の内部には、加熱整形部２０８の全体を差込むことができる装着穴２３９が形成してあり、その上開口の近くに連結溝２４０が周回状に凹み形成してある。整形コーム部２３８は４個の櫛歯２４１で構成してある。
【００３０】
塗布体２０１は、本体部２００に対して第１連結構造を介して着脱自在に装着してある。第１連結構造は、キャップ２１８の連結ボス２２５に設けた連結溝２２６と、本体部２００の筒壁２１２の内面に周回状に形成した連結リブ２４４とで圧嵌係合構造として構成してあり、塗布体２０１を筒壁２１２の内部に抜差しすることにより着脱できる。同様に、第１・第２の両まつ毛整形体２０２・２０３は、加熱整形部２０８に対して第２連結構造を介して着脱自在に装着してある。第２連結構造は、両まつ毛整形体２０２・２０３に形成した連結溝２３３・２４０と、加熱整形部２０８の上端寄りに周回状に形成した連結リブ２４５とで圧嵌係合構造として構成してあり、各まつ毛整形体２０２・２０３を加熱整形部２０８に抜差しすることにより着脱できる。
【００３１】
本体部２００と塗布体２０１との連結部には、塗布体２０１が加熱整形部２０８に装着されているか否かを検知する検知構造が設けてある。この検知構造は、筒壁２１２の内奥に設けた一対の接続端子２４８と、連結ボス２２５の上端面に埋め込んだ導通端子２４９とで構成してある。図３に示すように、各接続端子２４８は筒壁２１２の内奥に設けた端子凹部２５０に収容されて、ばね２５１で押出し付勢されている。端子凹部２５０の開口面は受板２５２で塞がれており、この受板２５２で押出し付勢された接続端子２４８を受止めて、接続端子２４８の接触端部のみを受板２５２の外面に露出させている。導通端子２４９は、一対の接続端子２４８と同時に接触できる部分円弧状に形成してある。なお、各接続端子２４８および導通端子２４９は、導電性を備えた金属を素材にして形成してある。
【００３２】
加熱整形部２０８と両まつ毛整形体２０２・２０３の連結部には、各まつ毛整形体２０２・２０３が加熱整形部２０８に装着されているか否かを検知する検知構造が設けてある。この検知構造は、加熱ロッド２０７の下端面に配置される第１まつ毛整形体２０２用の一対の接続端子２５５と、コーム枠２３０の上端面に埋め込んだ導通端子２５６と、第２まつ毛整形体２０３用の一対の接続端子２５７と、コーム枠２３７の上端面に埋め込んだ導通端子２５８とで構成してある。接続端子２５５・２５７、および導通端子２５６・２５８は、導電性を備えた金属を素材にして形成してある。各接続端子２５５・２５７は、先に説明した接続端子２４８と同様の端子凹部に収容されて、ばねで押出し付勢してあるが、端子凹部の形成位置が加熱ロッド２０７の下端面である点が異なるだけであるので、その説明を省略する。導通端子２５６・２５８は、先の導通端子２４９と同様に部分円弧状に形成してある。
【００３３】
以上のように構成したマスカラ塗布具は、３種のアタッチメントＡを外した状態と、塗布体２０１を加熱整形部２０８に装着した状態と、いずれか一方のまつ毛整形体２０２・２０３を加熱整形部２０８に装着した状態の４種類の態様で使用することができる。４種類の態様においては、個々の使用態様に応じて面状ヒーター２１０に供給される電圧が制御回路で調整されて、各使用態様ごとに好適な温度状態を保持できる。
【００３４】
具体的には、電源スイッチ２０６をオンした状態において、全てのアタッチメントＡを加熱整形部２０８から取外した状態（図５に示す状態）では、３個の検知構造のいずれもが導通のないオフ状態となる。そのため、制御回路はアタッチメントＡが装着されていないと判定して、面状ヒーター２１０の温度状態を、加熱整形部２０８を使用するのに適した温度状態（７０℃）に保持する。加熱整形部２０８でまつ毛を整形する際には、櫛歯２０９が上向きになる状態で本体部２００を水平に支持し、まつ毛の湾曲中央部を櫛歯２０９で梳き分けながら、面状ヒーター２１０の外表面にまつ毛を接触させる。この状態で、まつ毛を上向きにすくい上げ、さらに加熱窓２１１を眉毛の側へ回転させてまつ毛をカールさせる。さらに、カール部分を面状ヒーター２１０で加熱しながら、加熱整形部２０８の全体を上向きに押し上げることにより、まつ毛を毛先部分まで確実にカールすることができる。
【００３５】
次に、図６に示すように、第１まつ毛整形体２０２を加熱整形部２０８に装着して、上まつ毛を梳き分けながら整形する。この使用態様では、一対の接続端子２５５がコーム枠２３０に設けた導通端子２５６で導通されるので、制御回路は第１まつ毛整形体２０２が装着されていると判定して、面状ヒーター２１０の温度状態を、第１まつ毛整形体２０２を使用するのに適した温度状態（８０℃）に保持する。第１まつ毛整形体２０２を加熱整形部２０８に装着した状態では、コーム枠２３０の装着穴２３２が加熱整形部２０８に密着するので、面状ヒーター２１０の熱をコーム枠２３０を介して櫛歯２３４に伝えることができる。第１まつ毛整形体２０２は、加熱整形部２０８と同様にしてまつ毛を上向きにすくい上げながら、上まつ毛を１本ずつ梳き分けて整形する。
【００３６】
上まつ毛の整形が終了したら、第１まつ毛整形体２０２に換えて、第２まつ毛整形体２０３を加熱整形部２０８に装着して、下まつ毛を梳き分け、あるいは目頭や目尻のまつ毛を梳き分ける。この使用態様では、一対の接続端子２５７がコーム枠２３７に設けた導通端子２５８で導通されるので、制御回路は第２まつ毛整形体２０３が装着されていると判定して、面状ヒーター２１０の温度状態を、第２まつ毛整形体２０３を使用するのに適した温度状態（７５℃）に保持する。第２まつ毛整形体２０３は、第１まつ毛整形体２０２と同様にしてまつ毛を下向きに梳き分け、あるいは目頭や目尻のまつ毛を１本ずつ梳き分ける。なお、第１まつ毛整形体２０２の温度状態を、第２まつ毛整形体２０３の温度状態より僅かに高く設定するのは、第１まつ毛整形体２０２の櫛歯２３４の数が、第２まつ毛整形体２０３の櫛歯２４１の数より多く、第１まつ毛整形体２０２における放熱量が大きいからである。
【００３７】
以上によりまつ毛の整形が終了したら、第２まつ毛整形体２０３を加熱整形部２０８から取外したのち、筒壁２１２をキャップ２１８に外嵌して、位置決めリブ２２３と位置決め溝２２４が係合する状態で、本体部２００を塗布体２０１に連結し、連結溝２２６と連結リブ２４４を係合させる。この状態で、本体部２００を回動操作することにより塗布体２０１を同行回転させて、図７に示すように塗布体２０１を容器２０４から取外すことができる。
【００３８】
この使用態様では、一対の接続端子２４８が連結ボス２２５に設けた導通端子２４９で導通されるので、制御回路は塗布体２０１が装着されていると判定して、面状ヒーター２１０の温度状態を、塗布体２０１を使用するのに適した温度状態（４０℃）に保持する。塗布体２０１を加熱整形部２０８に装着した状態では、塗布部２２０の内面壁が加熱整形部２０８に密着するので、面状ヒーター２１０の熱を塗布部２２０の筒壁を介して櫛歯２２７に伝えることができる。
【００３９】
次に、塗布体２０１の塗布ロッド２１９を容器２０４内に出し入れして、塗布部２２０にマスカラ液を付着させ、さらに余分なマスカラ液をワイパー２１６でしごき落としたのち、櫛歯２２７でまつ毛を梳き流すことにより、櫛歯２２７の間に保持されたマスカラ液をまつ毛に付着させることができる。櫛歯２２７の間に保持されたマスカラ液は、加熱整形部２０８の熱で加熱されて均一に拡散し流動しやすい状態に調整されるので、マスカラ液をまつ毛に過不足なく塗布することができる。最後にマスカラコームを使用して、まつ毛を数回梳き流すことにより、まつ毛のカール形状を整えることができる。
【００４０】
上記構成のマスカラ塗布具によれば、３種のアタッチメントＡを加熱整形部２０８から取外した状態と、３種のアタッチメントＡのいずれかひとつを加熱整形部２０８に装着した状態の４種の態様で、まつ毛の整形やマスカラ液の塗布を行なうことができる。従って、順序だてて行われる美容処理に従ってアタッチメントＡを付換えることにより、一連の美容処理を手際よく行なうことができる。また、本体部２００あるいは加熱整形部２０８に装着されたアタッチメントＡを検知構造で識別して、個々のアタッチメントＡの温度状態を、まつ毛の処理に適した温度に制御するので、各アタッチメントＡによるまつ毛の処理を的確にしかも好適に行なうことができる。さらに、本体部２００あるいは加熱整形部２０８に装着されたアタッチメントＡを検知構造で識別できるので、ユーザーは各アタッチメントＡを所定の姿勢で所定の位置に装着すればよく、スイッチの切換などの煩雑な操作を行う必要もなく各アタッチメントＡを適温に加熱できる。
【００４１】
（第２実施形態）  図８および図９は、先の実施形態における検知構造を変更した実施形態を示す。そこでは、アタッチメントＡを第１まつ毛整形体２０２で構成する点と、検知構造を光量検知式の光センサー（ＣＤＳセンサー）２６１と、第１まつ毛整形体２０２に設けた遮光壁（遮光体）２６２とで構成する点が、第１実施形態の検知構造と異なる。光センサー２６１は、その受光面が露出する状態で加熱ロッド２０７の下端面に埋設してある。そのため、第１まつ毛整形体２０２が加熱整形部２０８に装着してある状態では、受光面が遮光壁２６２で覆われて受光量が殆どゼロとなる。また、第１まつ毛整形体２０２を加熱整形部２０８から取外した状態では、受光面が開放されるので受光量が増加し、受光量に見合った受光信号を制御回路に出力する。
【００４２】
この実施形態における検知構造においては、第１まつ毛整形体２０２を加熱整形部２０８から取外した状態では、光センサー２６１から受光信号が出力されるため、制御回路は第１まつ毛整形体２０２が加熱整形部２０８に装着されていないと判定して、面状ヒーター２１０の温度状態を、加熱整形部２０８を使用するのに適した温度状態（７０℃）に保持する。また、第１まつ毛整形体２０２を加熱整形部２０８に装着した状態では、光センサー２６１から受光信号が出力されないため、制御回路は第１まつ毛整形体２０２が加熱整形部２０８に装着されていると判定して、面状ヒーター２１０の温度状態を、第１まつ毛整形体２０２を使用するのに適した温度状態（８０℃）に保持する。他は第１実施形態と同じであるので、同じ部材に同じ符号を付してその説明を省略する。以下の実施形態においても同じとする。
【００４３】
（第３実施形態）  図１０および図１１は、アタッチメントＡの構造および、先の実施形態における検知構造などを変更した、マスカラ塗布具の実施形態を示す。そこでは、第１実施形態における加熱整形部２０８の櫛歯２０９を省略して、加熱ロッド２０７より下側の部分を加熱ヘッド（加熱部）２０８とした。またアタッチメントＡを、第２塗布体２６４と第３塗布体２６５とで構成して、各塗布体２６４・２６５を加熱ヘッド２０８に交換装着できるようにした。第２塗布体２６４は、有底筒状の塗布枠２６６の周囲にブリッスル２６７を放射状に植設して構成してある。塗布枠２６６の内部には、加熱ヘッド２０８の全体を差込むことができる装着穴２６８が形成してあり、その上開口の近くに連結溝２６９が周回状に凹み形成してある。
【００４４】
第３塗布体２６５は、有底筒状の塗布枠２７１と、塗布枠２７１の外面の一側に設けられる塗布コーム部２７２とを一体に備えている。塗布枠２７１の内部には、加熱ヘッド２０８の全体を差込むことができる装着穴２７３が形成してあり、その上開口の近くに連結溝２７４が周回状に凹み形成してある。塗布コーム部２７２は、８個の櫛歯２７５で構成してある。塗布枠２７１の上端面には、遮光壁（遮光体）２６２が突設してある。検知構造は、加熱ロッド２０７の下部に形成したスリット２７６を間にして配置される発光部２７７および受光部２７８と、前記スリット２７６に差込まれて光センサー間の光路を遮る遮光壁２６２とで構成してある。
【００４５】
第２塗布体２６４と第３塗布体２６５は、それぞれ加熱ヘッド２０８に装着された状態で、マスカラ容器に差込まれて、ブリッスル２６７にマスカラ液を含ませた状態、あるいは、塗布コーム部２７２の櫛歯２７５の間にマスカラ液を含ませた状態で使用する。第２塗布体２６４を加熱ヘッド２０８に装着した状態では、発光部２７７から照射された検知光が受光部２７８で受光され、受光信号が制御回路へ出力される。そのため、制御回路は第２塗布体２６４が加熱ヘッド２０８に装着されていると判定して、面状ヒーター２１０の温度状態を、第２塗布体２６４を使用するのに適した温度状態（４５℃）に保持する。また、第３塗布体２６５を加熱ヘッド２０８に装着した状態では、発光部２７７から照射された検知光が遮光壁２６２で遮られるため、受光信号が制御回路へ出力されることはない。そのため、制御回路は第３塗布体２６５が加熱ヘッド２０８に装着されていると判定して、面状ヒーター２１０の温度状態を、第３塗布体２６５を使用するのに適した温度状態（４０℃）に保持する。なお、第２塗布体２６４の温度状態を、第３塗布体２６５の温度状態より幾分高めにするのは、櫛歯２７５に比べてブリッスル２６７の表面積が大きく、その放熱量が大きいからである。
【００４６】
（第４実施形態）  図１２および図１３は、アタッチメントＡの構造および、先の実施形態における検知構造などを変更した、まつ毛整形具の実施形態を示す。そこでは、第１実施形態における加熱整形部２０８の櫛歯２０９を省略して、加熱ロッド２０７より下側の部分を加熱ヘッド（加熱部）２０８とした。またアタッチメントＡを、束になったまつ毛を細かく梳き分けながら整形するための第１まつ毛整形体２０２と、大きなまつ毛の束を保持し整形する、ボリュームアップ用の第２まつ毛整形体２０３で構成して、各まつ毛整形体２０２・２０３を加熱ヘッド２０８に交換装着できるようにした。第１まつ毛整形体２０２と、第２まつ毛整形体２０３の構造は、概ね第１実施形態において説明した通りであるが、第２まつ毛整形体２０３の櫛歯２４１の隣接間隔を、第１まつ毛整形体２０２の櫛歯２３４の隣接間隔より大きくする点が異なる。
【００４７】
検知構造は、加熱ヘッド２０８の下部に配置したリードスイッチ２８１と、リードスイッチ２８１をオン状態に切換える磁石２８２とで構成してあり、磁石２８２は第１まつ毛整形体２０２のコーム枠２３０の上端に埋設するようにした。第１まつ毛整形体２０２を加熱ヘッド２０８に装着した状態では、磁石２８２の磁気によってリードスイッチ２８１がオン状態に切換わり、オン信号が制御回路へ出力される。そのため、制御回路は第１まつ毛整形体２０２が加熱ヘッド２０８に装着されていると判定して、面状ヒーター２１０の温度状態を、第１まつ毛整形体２０２を使用するのに適した温度状態（８０℃）に保持する。また、第２まつ毛整形体２０３を加熱ヘッド２０８に装着した状態では、リードスイッチ２８１がオフ状態のままであるため、制御回路は第２まつ毛整形体２０３が加熱ヘッド２０８に装着されていると判定して、面状ヒーター２１０の温度状態を、第２まつ毛整形体２０３を使用するのに適した温度状態（７５℃）に保持する。
【００４８】
上記の実施形態においては、各アタッチメントＡおよび加熱整形部２０８の温度状態を例示したが、各アタッチメントＡおよび加熱整形部２０８の温度状態は、各部材の構造や機能に応じて適宜設定してあればよい。
【符号の説明】
【００４９】
Ａ  アタッチメント
２００  本体部
２０１  塗布体
２０２  第１まつ毛整形体
２０３  第２まつ毛整形体
２０７  加熱ロッド
２０８  加熱部（加熱整形部・加熱ヘッド）
２１０  ヒーター（面状ヒーター）
２１９  塗布ロッド
２２０  塗布部
２５５・２５７  接続端子
２５６・２５８  導通端子
【図１】
2014073245.tif 000003
【図２】
2014073245.tif 000004
【図３】
2014073245.tif 000005
【図４】
2014073245.tif 000006
【図５】
2014073245.tif 000007
【図６】
2014073245.tif 000008
【図７】
2014073245.tif 000009
【図８】
2014073245.tif 000010
【図９】
2014073245.tif 000011
【図１０】
2014073245.tif 000012
【図１１】
2014073245.tif 000013
【図１２】
2014073245.tif 000014
【図１３】
2014073245.tif 000015